(57)【要約】  本発明のシフトレジスタ（１）は、多段接続された単位回路（１０）を備え、単位回路（１０）は、出力トランジスタ（４１）及び出力トランジスタ（４２）を備えた最終バッファ部（４０）と、出力トランジスタ（４１）のゲートに第１の信号を供給するＡ信号生成部（２０）と、出力トランジスタ（４２）のゲートに第２の信号を供給するＢ信号生成部（３０）とを具備し、Ａ信号生成部（２０）は、コンデンサ（２４）と、クロック信号線（１２）電圧により出力トランジスタ（４１）のゲートとコンデンサ（２４）の一方の電極との導通及び非導通を切り換えるトランジスタ（２３）と、入力線（１３）電圧によりコンデンサ（２４）の他方の電極とクロック信号線（１２）との導通状態を切り換えるトランジスタ（２２）と、ゲートが固定電源線（１７）に接続されコンデンサ（２４）の一方の電極と入力線（１３）との導通状態を切り換えるトランジスタ（２１）とを備える。
2013098899.tif 000002
【特許請求の範囲】
【請求項１】
単位回路が多段接続されたシフトレジスタであって、
前記単位回路は、
出力端子、第１の電圧を前記出力端子に供給する第１のトランジスタ、及び前記出力端子に第２の電圧を供給する第２のトランジスタを備えた出力部と、
前段の単位回路の出力端子から出力された信号である入力信号、及び、クロック信号に基づいて、前記第１のトランジスタのゲート電極に前記第１のトランジスタの導通及び非導通を切り換える第１の信号を供給する第１信号生成部と、
前記入力信号及び前記クロック信号に基づいて、前記第２のトランジスタのゲート電極に前記第２のトランジスタの導通及び非導通を切り換える第２の信号を供給する第２信号生成部とを具備し、
前記第１信号生成部は、
第１の容量素子と、
ゲート電極が、クロック信号が入力されるクロック信号線に接続され、前記第１のトランジスタのゲート電極と前記第１の容量素子の一方の電極との導通及び非導通を切り換える第３のトランジスタと、
ゲート電極が、前記入力信号が入力される入力線に接続され、前記第１の容量素子の他方の電極と前記クロック信号線との導通及び非導通を切り換える第４のトランジスタと、
ゲート電極が、参照電源線に接続され、前記第１の容量素子の一方の電極と前記入力線との導通及び非導通を切り換える第５のトランジスタとを備える
シフトレジスタ。
【請求項２】
前記第１の容量素子は、前記第４のトランジスタと前記第５のトランジスタとが導通状態で前記クロック信号と前記入力信号との電位差を保持し、
前記第１の容量素子の一方の電極は、前記第４のトランジスタが導通状態で前記クロック信号が電位変化することにより電位上昇し、
前記第１信号生成部は、前記入力信号を前記電位差及び前記電位変化に応じて昇圧した前記第１の信号を前記第１のトランジスタに供給する
請求項１に記載のシフトレジスタ。
【請求項３】
前記第２信号生成部は、
前記第１の電圧に対応した第１の固定電圧を供給する第１の固定電源線と前記第２のトランジスタのゲート電極との導通及び非導通を切り換える第６のトランジスタと、
ゲート電極が前記クロック信号線に接続され、前記第１の固定電源線と前記第６のトランジスタのゲート電極との導通及び非導通を切り換える第７のトランジスタと、
ゲート電極が前記入力線に接続され、前記第６のトランジスタのゲート電極と前記第２の電圧に対応した第２の固定電圧を供給する第２の固定電源線との導通及び非導通を切り換える第８のトランジスタと、
ゲート電極が前記入力線に接続され、前記第２のトランジスタのゲート電極と前記第２の固定電源線との導通及び非導通を切り換える第９のトランジスタと、
ゲート電極が第２の容量素子を介して前記第１のトランジスタのゲート電極に接続され、前記第２のトランジスタのゲート電極と前記第２の固定電源線との導通及び非導通を切り換える第１０のトランジスタとを備え、
前記第２信号生成部は、少なくとも、前記第１信号生成部が供給する前記第１の信号により前記第１のトランジスタが導通状態である期間では、前記第２のトランジスタが非導通状態となるような前記第２の信号を前記第２のトランジスタのゲート電極に供給する
請求項１または２に記載のシフトレジスタ。
【請求項４】
前記第１〜第１０のトランジスタは、ｎ型の薄膜トランジスタである
請求項３に記載のシフトレジスタ。
【請求項５】
前記第１〜第１０のトランジスタは、ｐ型の薄膜トランジスタである
請求項３に記載のシフトレジスタ。
【請求項６】
さらに、
前記第３のトランジスタのゲート電極と、前記クロック信号線との間に配置され、前記クロック信号の信号電圧をレベルシフトさせて前記第３のトランジスタのゲート電極に出力するレベルシフタ回路を備える
請求項１〜５のいずれか１項に記載のシフトレジスタ。
【請求項７】
前記レベルシフタ回路は、
前記クロック信号線に接続され、前記クロック信号の入力パルス電圧が印加される入力端子と、
第３の容量素子と、
ソース電極及びドレイン電極が前記入力端子と前記第３の容量素子の一方の電極との間に配置され、ゲート電極が前記第３の容量素子の他方の電極に接続された第１１のトランジスタと、
ソース電極及びドレイン電極が前記入力端子と前記第３の容量素子の他方の電極との間に配置された第１２のトランジスタと、
前記入力端子に前記入力パルス電圧が入力されている期間に、前記第１２のトランジスタを導通状態から非導通状態へと切り換える信号を生成して当該信号を前記第１２のトランジスタのゲート電極に供給する信号生成部と、
前記第１１のトランジスタのゲート電極に接続され、前記期間中に前記第１２のトランジスタが非導通状態となることにより変換された前記第３の容量素子の他方の電極の電圧を出力パルス電圧として出力する出力端子とを備える
請求項６に記載のシフトレジスタ。
【請求項８】
前記第１１及び第１２のトランジスタは、ｎ型の薄膜トランジスタである
請求項７に記載のシフトレジスタ。
【請求項９】
前記第１１及び第１２のトランジスタは、ｐ型の薄膜トランジスタである
請求項７に記載のシフトレジスタ。
【請求項１０】
前記参照電源線は、前記第１の電圧に対応した第１の固定電圧を供給する
請求項１〜９のいずれか１項に記載のシフトレジスタ。
【請求項１１】
前記参照電源線は、絶対値が前記第１の電圧より小さい固定電圧を供給する
請求項１〜９のいずれか１項に記載のシフトレジスタ。
【発明の詳細な説明】
【技術分野】
【０００１】
本発明は、シフトレジスタに関し、特に水平期間以上の出力期間を確保することが可能なシフトレジスタに関する。
【背景技術】
【０００２】
アクティブマトリクス型の液晶ディスプレイや有機ＥＬディスプレイの画素回路には、アモルファスシリコンを材料とする画素選択用の薄膜トランジスタ（Ｔｈｉｎ  Ｆｉｌｍ  Ｔｒａｎｓｉｓｔｏｒ：ＴＦＴ）が使用される。この選択用ＴＦＴを駆動するため、上記ディスプレイの周縁領域にはドライバ回路が配置されている。このドライバ回路は、選択用ＴＦＴをオンオフさせる駆動パルスを出力するための論理デバイスで構成されている。【０００３】
選択用ＴＦＴは、複数の走査線と複数のデータ線との交点に配置されている。ドライバ回路は、走査線を通じて選択した画素行の選択用ＴＦＴをオン状態とすることにより、信号線からデータ信号を各画素に書き込み、または、画素発光させる。選択画素行に対し、画素行ごとに選択信号を出力するドライバ回路として、シフトレジスタが挙げられる。特許文献１には、単極性のＴＦＴのみから構成されるシフトレジスタの具体的な回路構成が開示されている。【０００４】
図１１Ａは、特許文献１に記載されたシフトレジスタのブロック構成図である。同図に記載された従来のシフトレジスタは、液晶ディスプレイ用の走査線選択器として使用される。上記シフトレジスタは、ほぼ同一の回路構成からなる複数の段がカスケード接続されており、上段の出力信号を入力信号とし、出力信号を下段の入力信号としている。また、クロック信号発生器５２２には３本のクロック信号線が接続され、各段には、当該３本の信号線のうちの２本のクロック信号線が接続されている。【０００５】
図１１Ｂは、特許文献１に記載されたシフトレジスタが有する段の具体的回路構成図である。同図に記載された段５１０は、ＴＦＴ５１６〜５２１を備える。上記ＴＦＴは、全て同じ導電型で構成されている。また、図１２Ａは、特許文献１に記載されたシフトレジスタが２水平期間を出力期間とする場合の駆動タイミングチャートの一例である。段５１０は、クロック信号Ｃ１を用いたブートストラップ動作により、入力信号を変換して出力１から出力信号を出力する。出力１から選択信号であるオン電圧を出力する開始タイミングは、入力信号及びクロック信号Ｃ１がオンであるタイミングとなり、終了タイミングは、クロック信号Ｃ１がオフでクロック信号Ｃ３がオンであるタイミングとなる。同様に、２行目の段５１０では、出力２からオン電圧を出力する開始タイミングは、出力１信号及びクロック信号Ｃ２がオンであるタイミングとなり、終了タイミングは、クロック信号Ｃ２がオフでクロック信号Ｃ１がオンであるタイミングとなる。つまり、特許文献１に記載されたシフトレジスタでは、入力信号のオン期間と同じ２水平期間のオン期間を有し、かつ、１水平期間のシフト量を有する３つのクロック信号が用いられることにより、１水平期間の転送シフト量かつ２水平期間における走査線選択が可能となる。
【先行技術文献】
【特許文献】
【０００６】
【特許文献１】特表平６−５０５６０５号公報
【発明の概要】
【発明が解決しようとする課題】
【０００７】
しかしながら、特許文献１に開示された従来のシフトレジスタにおいて、１水平期間の転送シフト量を維持しつつ走査線の選択期間をさらに長くするには、走査線の選択期間がクロック信号のオン期間に限定されるために、当該選択期間と同じ期間においてオン電圧を出力するクロック信号が必要であり、また、１水平期間の転送シフト量を確保するために、クロック信号の追加が必要となる。【０００８】
図１２Ｂは、特許文献１に記載されたシフトレジスタが４水平期間を出力期間とする場合の駆動タイミングチャートの一例である。同図に示されたように、例えば、１水平期間の転送シフト量を維持しつつ走査線の選択期間を４水平期間確保するには、４水平期間と同じ期間においてオン電圧を出力し、かつ、１水平期間のシフト量を有する５つのクロック信号が必要となる。【０００９】
一般的に、表示パネルが大型化した場合、走査線の配線負荷が増大する為、水平期間より長い選択ＴＦＴのオン期間を設定することがある。これに対し、特許文献１に開示された従来のシフトレジスタにおいて、走査線を選択するための出力期間を長く確保する場合は、当該出力期間を有するクロック信号の設定と転送シフト量を確保する為のクロック信号の追加が必要となる。これにより、配線数が増加しドライバ回路が配置される額縁面積が増大してしまうという課題がある。【００１０】
本発明は、上記の課題に鑑みてなされたものであり、クロック信号線を増加させることなく、走査線の水平期間以上の出力期間を確保でき、当該出力期間の確保による額縁面積の増大を回避できるシフトレジスタを提供することを目的とする。
【課題を解決するための手段】
【００１１】
上記の課題を解決するために、本発明のシフトレジスタは、単位回路が多段接続されたシフトレジスタであって、前記単位回路は、出力端子、第１の電圧を前記出力端子に供給する第１のトランジスタ、及び前記出力端子に第２の電圧を供給する第２のトランジスタを備えた出力部と、前段の単位回路の出力端子から出力された信号である入力信号、及び、クロック信号に基づいて、前記第１のトランジスタのゲート電極に前記第１のトランジスタの導通及び非導通を切り換える第１の信号を供給する第１信号生成部と、前記入力信号及び前記クロック信号に基づいて、前記第２のトランジスタのゲート電極に前記第２のトランジスタの導通及び非導通を切り換える第２の信号を供給する第２信号生成部とを具備し、前記第１信号生成部は、第１の容量素子と、ゲート電極が、クロック信号が入力されるクロック信号線に接続され、前記第１のトランジスタのゲート電極と前記第１の容量素子の一方の電極との導通及び非導通を切り換える第３のトランジスタと、ゲート電極が、前記入力信号が入力される入力線に接続され、前記第１の容量素子の他方の電極と前記クロック信号線との導通及び非導通を切り換える第４のトランジスタと、ゲート電極が、参照電源線に接続され、前記第１の容量素子の一方の電極と前記入力線との導通及び非導通を切り換える第５のトランジスタとを備えることを特徴とする。
【発明の効果】
【００１２】
本発明のシフトレジスタによれば、クロック信号線の追加を伴わず、出力期間の調整が可能となり、当該シフトレジスタが配置される額縁領域の面積増大を回避することが可能となる。
【図面の簡単な説明】
【００１３】
【図１】図１は、本発明の実施の形態１に係るシフトレジスタ及び周辺回路のブロック構成図である。
【図２】図２は、本発明の実施の形態１に係る単位回路の一例を示す回路構成図である。
【図３】図３は、本発明の実施の形態１に係るシフトレジスタの駆動タイミングチャートである。
【図４Ａ】図４Ａは、本発明の実施の形態１に係る単位回路の期間１における回路状態遷移図である。
【図４Ｂ】図４Ｂは、本発明の実施の形態１に係る単位回路の期間２における回路状態遷移図である。
【図４Ｃ】図４Ｃは、本発明の実施の形態１に係る単位回路の期間３における回路状態遷移図である。
【図４Ｄ】図４Ｄは、本発明の実施の形態１に係る単位回路の期間４における回路状態遷移図である。
【図４Ｅ】図４Ｅは、本発明の実施の形態１に係る単位回路の期間５における回路状態遷移図である。
【図４Ｆ】図４Ｆは、本発明の実施の形態１に係る単位回路の期間６における回路状態遷移図である。
【図５Ａ】図５Ａは、本発明の実施の形態２に係るシフトレジスタの回路構成図の一例である。
【図５Ｂ】図５Ｂは、本発明の実施の形態２に係るレベルシフタの入出力波形を表す図である。
【図６Ａ】図６Ａは、本発明の実施の形態２に係るシフトレジスタが備えるレベルシフタの回路構成図の一例である。
【図６Ｂ】図６Ｂは、本発明の実施の形態２に係るレベルシフタの駆動タイミングチャートである。
【図７】図７は、本発明の実施の形態３に係るシフトレジスタの回路構成図の一例である。
【図８Ａ】図８Ａは、本発明の実施の形態３に係るシフトレジスタの効果を説明する図である。
【図８Ｂ】図８Ｂは、本発明の実施の形態１に係るシフトレジスタの効果を説明する図である。
【図９】図９は、本発明の実施の形態１に係るシフトレジスタの変形例を示す回路構成図である。
【図１０】図１０は、本発明の実施の形態１に係るレベルシフタの変形例を示す駆動タイミングチャートである。
【図１１Ａ】図１１Ａは、特許文献１に記載されたシフトレジスタのブロック構成図である。
【図１１Ｂ】図１１Ｂは、特許文献１に記載されたシフトレジスタが有する段の具体的回路構成図である。
【図１２Ａ】図１２Ａは、特許文献１に記載されたシフトレジスタが２水平期間を出力期間とする場合の駆動タイミングチャートの一例である。
【図１２Ｂ】図１２Ｂは、特許文献１に記載されたシフトレジスタが４水平期間を出力期間とする場合の駆動タイミングチャートの一例である。
【発明を実施するための形態】
【００１４】
本発明の一態様に係るシフトレジスタは、単位回路が多段接続されたシフトレジスタであって、前記単位回路は、出力端子、第１の電圧を前記出力端子に供給する第１のトランジスタ、及び前記出力端子に第２の電圧を供給する第２のトランジスタを備えた出力部と、前段の単位回路の出力端子から出力された信号である入力信号、及び、クロック信号に基づいて、前記第１のトランジスタのゲート電極に前記第１のトランジスタの導通及び非導通を切り換える第１の信号を供給する第１信号生成部と、前記入力信号及び前記クロック信号に基づいて、前記第２のトランジスタのゲート電極に前記第２のトランジスタの導通及び非導通を切り換える第２の信号を供給する第２信号生成部とを具備し、前記第１信号生成部は、第１の容量素子と、ゲート電極が、クロック信号が入力されるクロック信号線に接続され、前記第１のトランジスタのゲート電極と前記第１の容量素子の一方の電極との導通及び非導通を切り換える第３のトランジスタと、ゲート電極が、前記入力信号が入力される入力線に接続され、前記第１の容量素子の他方の電極と前記クロック信号線との導通及び非導通を切り換える第４のトランジスタと、ゲート電極が、参照電源線に接続され、前記第１の容量素子の一方の電極と前記入力線との導通及び非導通を切り換える第５のトランジスタとを備えることを特徴とする。
【００１５】
上記構成によれば、従来ではクロック信号線からのブートストラップ動作を用いて信号を出力していたのに対して、参照電源線からの固定電圧を用いた信号出力に変更し、入力信号及びクロック信号に基づいて、第１信号生成部で定期的に昇圧された信号電圧を第１のトランジスタのゲート電極に供給し、第２信号生成部で生成された信号電圧を第２のトランジスタのゲート電極に供給することにより、水平期間以上の出力期間を確保することが可能となる。よって、クロック信号線の追加なく所望の出力期間を調整できるので、本発明のシフトレジスタが配置される額縁領域の面積増大を回避することが可能となる。また、第１信号生成部では、参照電源線と、参照電源線とは異なる電位を持つ電源線との間に、トランジスタが直列に接続された構成をとらないので、第３〜第５のトランジスタがデプレッション型であっても、参照電源線から貫通電流が流れることを回避できる。
【００１６】
また、本発明の一態様に係るシフトレジスタにおいて、前記第１の容量素子は、前記第４のトランジスタと前記第５のトランジスタとが導通状態で前記クロック信号と前記入力信号との電位差を保持し、前記第１の容量素子の一方の電極は、前記第４のトランジスタが導通状態で前記クロック信号が電位変化することにより電位上昇し、前記第１信号生成部は、前記入力信号を前記電位差及び前記電位変化に応じて昇圧した前記第１の信号を前記第１のトランジスタに供給してもよい。
【００１７】
また、本発明の一態様に係るシフトレジスタにおいて、前記第２信号生成部は、前記第１の電圧に対応した第１の固定電圧を供給する第１の固定電源線と前記第２のトランジスタのゲート電極との導通及び非導通を切り換える第６のトランジスタと、ゲート電極が前記クロック信号線に接続され、前記第１の固定電源線と前記第６のトランジスタのゲート電極との導通及び非導通を切り換える第７のトランジスタと、ゲート電極が前記入力線に接続され、前記第６のトランジスタのゲート電極と前記第２の電圧に対応した第２の固定電圧を供給する第２の固定電源線との導通及び非導通を切り換える第８のトランジスタと、ゲート電極が前記入力線に接続され、前記第２のトランジスタのゲート電極と前記第２の固定電源線との導通及び非導通を切り換える第９のトランジスタと、ゲート電極が第２の容量素子を介して前記第１のトランジスタのゲート電極に接続され、前記第２のトランジスタのゲート電極と前記第２の固定電源線との導通及び非導通を切り換える第１０のトランジスタとを備え、前記第２信号生成部は、少なくとも、前記第１信号生成部が供給する前記第１の信号により前記第１のトランジスタが導通状態である期間では、前記第２のトランジスタが非導通状態となるような前記第２の信号を前記第２のトランジスタのゲート電極に供給してもよい。
【００１８】
これにより、第１信号生成部で昇圧された信号を、第２信号生成部の容量でサンプルホールドすることで水平期間以上の出力期間が確保することが可能となる。
【００１９】
また、本発明の一態様に係るシフトレジスタにおいて、前記第１〜第１０のトランジスタは、ｎ型の薄膜トランジスタであることが好ましい。
【００２０】
また、本発明の一態様に係るシフトレジスタにおいて、前記第１〜第１０のトランジスタは、ｐ型の薄膜トランジスタであってもよい。
【００２１】
これらにより、トランジスタが単極性のみで構成されるため、シフトレジスタの製造工程が簡略化され、また、製造歩留まりが向上する。
【００２２】
また、本発明の一態様に係るシフトレジスタにおいて、さらに、前記第３のトランジスタのゲート電極と、前記クロック信号線との間に配置され、前記クロック信号の信号電圧をレベルシフトさせて前記第３のトランジスタのゲート電極に出力するレベルシフタ回路を備えてもよい。
【００２３】
第１信号生成部から転送された信号電圧レベルが、第３のトランジスタのゲート電圧に依存することから、転送時の第３のトランジスタのゲート電圧をレベルシフタ回路により昇圧する。これにより、転送された信号電圧レベルが高くなり、バッファＴＦＴである第１のトランジスタのオン抵抗を下げることが可能となる。よって出力信号の過渡特性が改善され、信号の転送効率が向上する。
【００２４】
また、本発明の一態様に係るシフトレジスタにおいて、前記レベルシフタ回路は、前記クロック信号線に接続され、前記クロック信号の入力パルス電圧が印加される入力端子と、第３の容量素子と、ソース電極及びドレイン電極が前記入力端子と前記第３の容量素子の一方の電極との間に配置され、ゲート電極が前記第３の容量素子の他方の電極に接続された第１１のトランジスタと、ソース電極及びドレイン電極が前記入力端子と前記第３の容量素子の他方の電極との間に配置された第１２のトランジスタと、前記入力端子に前記入力パルス電圧が入力されている期間に、前記第１２のトランジスタを導通状態から非導通状態へと切り換える信号を生成して当該信号を前記第１２のトランジスタのゲート電極に供給する信号生成部と、前記第１１のトランジスタのゲート電極に接続され、前記期間中に前記第１２のトランジスタが非導通状態となることにより変換された前記第３の容量素子の他方の電極の電圧を出力パルス電圧として出力する出力端子とを備えてもよい。
【００２５】
これにより、レベルシフト動作のための専用電源線は不要であるので、配線スペースの削減と外部回路への負担を軽減することが可能となる。
【００２６】
また、本発明の一態様に係るシフトレジスタにおいて、前記第１１及び第１２のトランジスタは、ｎ型の薄膜トランジスタであることが好ましい。
【００２７】
また、本発明の一態様に係るシフトレジスタにおいて、前記第１１及び第１２のトランジスタは、ｐ型の薄膜トランジスタであってもよい。
【００２８】
これらにより、トランジスタが単極性のみで構成されるため、シフトレジスタの製造工程が簡略化され、また、製造歩留まりが向上する。
【００２９】
また、本発明の一態様に係るシフトレジスタにおいて、前記参照電源線は、前記第１の電圧に対応した第１の固定電圧を供給してもよい。
【００３０】
また、本発明の一態様に係るシフトレジスタにおいて、前記参照電源線は、絶対値が前記第１の電圧より小さい固定電圧を供給してもよい。
【００３１】
これにより、入力信号の昇圧時及び転送時において、第３及び第５のトランジスタのソース−ドレイン間電圧を、ゲート振幅より小さく設定できるので、第３及び第５のトランジスタの負荷を低減でき、シフトレジスタの信頼性が向上する。
【００３２】
以下、本発明を実施するための形態について、図面を参照しながら説明する。
【００３３】
（実施の形態１）
図１は、本発明の実施の形態１に係るシフトレジスタ及び周辺回路のブロック構成図である。同図には、シフトレジスタ１とクロック信号発生器２とが記載されている。シフトレジスタ１は、表示パネルのｍ行の画素行ごとに配置されたｍ本の走査線に対応した、多段接続（カスケード接続）されたｍ個の単位回路１０を備え、通常、ゲートドライバ回路に組み込まれる。ゲートドライバ回路は、例えば、表示パネルの周縁部である額縁領域に配置される。
【００３４】
１行目の単位回路１０は、クロック信号発生器２から出力されたクロック信号ＣＬＫと入力信号ＩＮ１とが所定のタイミングで入力されることにより、入力信号ＩＮ１に対して半クロック周期分遅れ、入力信号ＩＮ１のオン電圧出力期間（以後、出力期間と記す）と同じ出力期間を有する出力信号ＯＵＴ１を出力する。また、２行目の単位回路１０は、クロック信号ＣＬＫと出力信号ＯＵＴ１と同じ信号である入力信号ＩＮ２とが所定のタイミングで入力されることにより、出力信号ＯＵＴ１に対して半クロック周期分遅れ、入力信号ＩＮ１の出力期間と同じ出力期間を有する出力信号ＯＵＴ２を出力する。つまり、ｋ行目の単位回路１０は、クロック信号ＣＬＫと出力信号ＯＵＴ（ｋ−１）と同じ信号である入力信号ＩＮｋとが所定のタイミングで入力されることにより、出力信号ＯＵＴ（ｋ−１）に対して半クロック周期分遅れ、入力信号ＩＮ１の出力期間と同じ出力期間を有する出力信号ＯＵＴｋを出力する。
【００３５】
上記構成により、本発明のシフトレジスタ１は、走査線の選択期間を１水平期間以上に設定する場合であっても、クロック信号線を増加させる必要がなく、上記出力期間の確保による額縁面積の増大を回避できる。以下、単位回路１０の回路構成及び動作について説明する。
【００３６】
なお、出力期間がクロック信号の半周期よりも長い入力信号は、例えば、カウンタ及び分周器などで構成された変換回路に、当該クロック信号を入力することにより得られる。
【００３７】
図２は、本発明の実施の形態１に係る単位回路の一例を示す回路構成図である。同図における単位回路１０は、Ａ信号生成部２０と、Ｂ信号生成部３０と、最終バッファ部４０とを備える。
【００３８】
固定電源線１７は、走査線選択時に当該走査線に印加される電圧に対応した電源電圧ＶＤＤに設定された参照電源線である。基準電源線１１は、走査線非選択時に当該走査線に印加される電圧に対応した基準電圧ＶＳＳに設定されている。入力線１３は、前段の単位回路１０の出力線１６と接続されており、入力線１３には、前段の単位回路１０の出力信号ＯＵＴが入力信号ＩＮとして供給される。
【００３９】
最終バッファ部４０は、出力端子と、出力トランジスタ４１及び４２とを備えた出力部である。
【００４０】
出力トランジスタ４１は、ドレイン電極が固定電源線１７に接続され、ソース電極が出力線１６を介して出力端子に接続され、ゲート電極が配線Ａを介してＡ信号生成部２０に接続された第１のトランジスタである。これにより、出力トランジスタ４１は、配線Ａの電圧に応じて導通状態となり電源電圧ＶＤＤに対応した第１の電圧を出力端子に供給する。
【００４１】
出力トランジスタ４２は、ドレイン電極が出力線１６を介して出力端子に接続され、ソース電極が基準電源線１１に接続され、ゲート電極が配線Ｂを介してＢ信号生成部３０に接続された第２のトランジスタである。これにより、出力トランジスタ４２は、配線Ｂの電圧に応じて導通状態となり基準電圧ＶＳＳに対応した第２の電圧を出力端子に供給する。
【００４２】
Ａ信号生成部２０は、トランジスタ２１、２２及び２３と、コンデンサ２４とを備えた第１信号生成部である。
【００４３】
トランジスタ２３は、ゲート電極がクロック信号線１２に接続され、ドレイン電極がコンデンサ２４の一方の電極に接続され、ソース電極が配線Ａを介して出力トランジスタ４１のゲート電極に接続された第３のトランジスタである。
【００４４】
トランジスタ２１は、ゲート電極が固定電源線１７に接続され、ドレイン電極が入力線１３に接続され、ソース電極がコンデンサ２４の一方の電極に接続された第４のトランジスタである。
【００４５】
トランジスタ２２は、ゲート電極が入力線１３に接続され、ドレイン電極がクロック信号線１２に接続され、ソース電極がコンデンサ２４の他方の電極に接続された第５のトランジスタである。
【００４６】
コンデンサ２４は、トランジスタ２１及び２２の導通により、クロック信号ＣＬＫと入力信号ＩＮとの電位差を保持し、配線Ａに供給すべき信号電圧を当該電位差に応じて昇圧させるチャージポンプ機能を有する第１の容量素子である。
【００４７】
上記構成により、Ａ信号生成部２０は、単位回路１０の多段接続による入力信号ＩＮの減衰を回避すべく入力信号ＩＮの昇圧動作を実行し、入力信号ＩＮに基づいて、出力トランジスタ４１の導通及び非導通を切り換える第１の信号を出力トランジスタ４１のゲート電極に供給する。また、固定電源線１７と基準電源線１１との間に、直列に接続されたトランジスタが配置された構成をとらないので、トランジスタ２１〜２３がデプレッション型であっても、固定電源線１７から基準電源線１１に向けて貫通電流が流れることを回避できる。
【００４８】
Ｂ信号生成部３０は、トランジスタ３１〜３５と、コンデンサ３６とを備えた第２信号生成部である。
【００４９】
トランジスタ３１は、ゲート電極がクロック信号線１２に接続され、ドレイン電極が固定電源線１７に接続され、ソース電極がトランジスタ３３のゲート電極に接続され、クロック信号ＣＬＫに対応して、トランジスタ３３の導通及び非導通を切り換える第７のトランジスタである。
【００５０】
トランジスタ３２は、ゲート電極が入力線１３に接続され、ドレイン電極がトランジスタ３３のゲート電極に接続され、ソース電極が基準電源線１１に接続され、入力信号ＩＮに対応して、トランジスタ３３の導通及び非導通を切り換える第８のトランジスタである。
【００５１】
トランジスタ３３は、ドレイン電極が固定電源線１７に接続され、ソース電極が配線Ｂを介して出力トランジスタ４２のゲート電極に接続され、トランジスタ３１及び３２の導通状態に応じて、出力トランジスタ４２の導通及び非導通を切り換える第６のトランジスタである。
【００５２】
トランジスタ３４は、ゲート電極が入力線１３に接続され、ドレイン電極が配線Ｂを介して出力トランジスタ４２のゲート電極に接続され、ソース電極が基準電源線１１に接続され、入力信号ＩＮに応じて、出力トランジスタ４２の導通及び非導通を切り換える第９のトランジスタである。
【００５３】
トランジスタ３５は、ゲート電極が出力線１６を介して出力端子に接続され、ドレイン電極が配線Ｂを介して出力トランジスタ４２のゲート電極に接続され、ソース電極が基準電源線１１に接続され、出力信号ＯＵＴに応じて、出力トランジスタ４２の導通及び非導通を切り換える第１０のトランジスタである。
【００５４】
コンデンサ３６は、一方の電極が配線Ａを介して出力トランジスタ４１のゲート電極に接続され、他方の電極が出力線１６を介して出力端子に接続された第２の容量素子である。
【００５５】
上記構成により、Ｂ信号生成部３０は、入力信号ＩＮに基づいて、出力トランジスタ４２の導通及び非導通を切り換える第２の信号を出力トランジスタ４２のゲート電極に供給するとともに、配線Ａ及び出力トランジスタ４１のゲート電極の電圧を保持する。
【００５６】
なお、トランジスタ２１〜２３、３１〜３５、ならびに、出力トランジスタ４１及び４２は、ｎ型ＴＦＴで構成されていることが好ましい。これにより、シフトレジスタの製造工程が簡略化され、また、製造歩留まりが向上する。
【００５７】
以上の単位回路１０の回路構成により、従来ではクロック信号線からのブートストラップ動作を用いて信号を出力していたのに対して、電源電圧ＶＤＤを用いた信号出力に変更し、Ａ信号生成部２０で定期的に昇圧された信号電圧をコンデンサ３６に定期的にサンプルホールドさせながら、Ｂ信号生成部３０で少なくともＡ信号生成部２０で昇圧された信号電圧が出力されている期間は出力トランジスタを非導通にさせることで、水平期間以上の出力期間を確保することが可能となる。よって、クロック信号線の追加なく所望の出力期間を調整できるので、シフトレジスタ１が配置される額縁領域の面積増大を回避することが可能となる。
【００５８】
以下、単位回路１０の具体的動作について、図３及び図４Ａ〜図４Ｆを用いて説明する。
【００５９】
図３は、本発明の実施の形態１に係るシフトレジスタの駆動タイミングチャートである。同図には、シフトレジスタ１が有する単位回路１０を駆動するためのクロック信号ＣＬＫ、入力信号ＩＮ、配線Ａ、配線Ｂ及び出力信号ＯＵＴの各電圧レベルが表されている。以下、特に、期間１〜期間６を中心に、回路動作を説明する。
【００６０】
まず、期間１において、クロック信号ＣＬＫがＬＯＷレベルに設定され、入力信号ＩＮがＨＩＧＨレベルに設定される。
【００６１】
図４Ａは、本発明の実施の形態１に係る単位回路の期間１における回路状態遷移図である。
【００６２】
期間１において、入力信号ＩＮがＨＩＧＨとなることにより、トランジスタ２２が導通状態となる。この導通状態と、クロック信号ＣＬＫがＬＯＷとなっていることから、コンデンサ２４の他方の電極はＬＯＷレベルとなる。また、トランジスタ２１の導通状態と入力信号ＩＮがＨＩＧＨであることから、コンデンサ２４の一方の電極はＨＩＧＨレベルとなる。以上により、コンデンサ２４には電源電圧（ＶＤＤ−ＶＳＳ）相当の電圧が充電される。これにより、入力信号ＩＮの昇圧準備が完了する。
【００６３】
次に、期間２において、クロック信号ＣＬＫがＨＩＧＨレベルに変化する。
【００６４】
図４Ｂは、本発明の実施の形態１に係る単位回路の期間２における回路状態遷移図である。
【００６５】
期間２において、クロック信号ＣＬＫがＨＩＧＨとなることにより、コンデンサ２４の他方の電極及び一方の電極の電位が上昇する。これに伴い、トランジスタ２１のゲート−ソース間電圧（Ｖｇｓ）が減少し、やがて、トランジスタ２１は非導通状態となる。上記回路動作により、コンデンサ２４の一方の電極の電位は、ＨＩＧＨレベル（以降、Ｈと記す）からさらに昇圧され、（Ｈ＋ΔＶ）となる。つまり、Ａ信号生成部２０は、期間２において、昇圧動作を実行している。一方、期間２において、クロック信号ＣＬＫがＨＩＧＨとなることにより、トランジスタ２３が導通状態となる。このとき、トランジスタ２３のゲート電極の電圧はＨであり、ドレイン電極は（Ｈ＋ΔＶ）である。この関係から、トランジスタ２３の閾値電圧をＶｔｈ２３とすると、トランジスタ２３のソース電極の電圧は（Ｈ−Ｖｔｈ２３）となる。これにより、配線Ａ及び出力トランジスタ４１のゲート電圧が（Ｈ−Ｖｔｈ２３）となり、出力トランジスタ４１が導通状態となる。
【００６６】
また、期間２において、クロック信号ＣＬＫがＨＩＧＨとなることにより、トランジスタ３２及び３４が導通状態となり、トランジスタ３３のゲート電極の電圧はＬとなりトランジスタ３３が非導通となる。トランジスタ３４が導通状態かつトランジスタ３３が非導通状態であることにより、配線Ｂの電圧がＬに確定され、出力トランジスタ４２が非導通状態となる。
【００６７】
期間２における上記回路動作では、出力トランジスタ４１が導通状態となり、かつ、出力トランジスタ４２が非導通状態となることから、出力トランジスタ４１の閾値電圧をＶｔｈ４１とすると、出力信号ＯＵＴの電圧は第１の電圧である（Ｈ−Ｖｔｈ２３−Ｖｔｈ４１）へと変化する。
【００６８】
ここで、期間２におけるＡ信号生成部２０の昇圧動作の効果について説明する。期間２において、出力信号ＯＵＴの電圧は（Ｈ−Ｖｔｈ２３−Ｖｔｈ４１）へと変化する。この出力信号ＯＵＴは、次段の単位回路１０の入力信号ＩＮとなるため、次段の単位回路１０における入力信号ＩＮのＨＩＧＨレベルの電圧は（Ｈ−Ｖｔｈ２３−Ｖｔｈ４１）となる。ここで、上記昇圧動作がない場合には、トランジスタ２３のドレイン電極には（Ｈ−Ｖｔｈ２３−Ｖｔｈ４１）が印加される結果、配線Ａには（Ｈ−Ｖｔｈ２３）よりも小さい電圧が印加されてしまう場合がある。トランジスタ２３における上記電圧転送が各単位回路１０で繰り返されることにより、下段の単位回路１０ほど出力信号ＯＵＴが所定の電圧レベルに満たない場合が発生し誤動作を発生させてしまう。これに対して、Ａ信号生成部２０における上記昇圧動作が実行されることにより、トランジスタ２３から配線Ａへと転送される電圧は単位回路１０間で一定値を維持することが可能となる。
【００６９】
つまり、シフトレジスタ１は、コンデンサ２４に対して、トランジスタ２１及び２２が導通状態でクロック信号ＣＬＫと入力信号ＩＮとの電位差を保持させ、コンデンサ２４の一方の電極を、トランジスタ２２が導通状態でクロック信号ＣＬＫが電位変化することにより電位上昇させる。これにより、Ａ信号生成部２０は、入力信号ＩＮを上記電位差及び上記電位変化に応じて昇圧した第１の信号を出力トランジスタ４１に供給する。
【００７０】
次に、期間３において、クロック信号ＣＬＫがＬＯＷレベルに変化する。
【００７１】
図４Ｃは、本発明の実施の形態１に係る単位回路の期間３における回路状態遷移図である。
【００７２】
期間３において、入力信号ＩＮがＨＩＧＨとなることにより、トランジスタ２２が導通状態となる。この導通状態と、クロック信号ＣＬＫがＬＯＷとなっていることから、コンデンサ２４の他方の電極はＬＯＷレベルとなる。また、トランジスタ２１の導通状態と入力信号ＩＮがＨＩＧＨであることから、コンデンサ２４の一方の電極はＨＩＧＨレベルとなる。以上により、コンデンサ２４には電源電圧（ＶＤＤ−ＶＳＳ）相当の電圧が充電される。これに対し、クロック信号ＣＬＫがＬＯＷとなることにより、トランジスタ２３は非導通状態となる。よって、配線Ａの電圧はＡ信号生成部２０により更新されない。
【００７３】
一方、期間３において、Ｂ信号生成部３０では、クロック信号ＣＬＫがＬＯＷとなることによりトランジスタ３１が非導通状態へと変化するのみであり、その他の回路状態は変化しない。よって、期間３では、Ｂ信号生成部３０のコンデンサ３６へのサンプルホールド機能により、期間２における出力信号ＯＵＴの電圧レベルを維持する。
【００７４】
次に、期間４において、クロック信号ＣＬＫがＬＯＷレベルに設定され、入力信号ＩＮがＬＯＷレベルに設定される。
【００７５】
図４Ｄは、本発明の実施の形態１に係る単位回路の期間４における回路状態遷移図である。期間４において、入力信号ＩＮがＬＯＷとなることにより、トランジスタ２２が非導通状態となる。また、トランジスタ２１の導通状態と入力信号ＩＮがＬＯＷであることから、コンデンサ２４の一方の電極はＬＯＷレベルとなる。これに対し、クロック信号ＣＬＫがＬＯＷとなることにより、トランジスタ２３は非導通状態となる。よって、期間４における配線Ａの電圧は、直前期間から更新されない。
【００７６】
一方、期間４において、Ｂ信号生成部３０では、入力信号ＩＮがＬＯＷとなることによりトランジスタ３２及び３４が非導通状態へと変化するのみである。しかし、配線ＡのＨＩＧＨ電圧がトランジスタ３５のゲート電極に印加されトランジスタ３５が導通状態となっていることから、出力トランジスタ４２のゲート電圧はＬを維持し出力トランジスタ４２は非導通状態を維持する。よって、期間４では、Ｂ信号生成部３０のコンデンサ３６へのサンプルホールド機能により、直前期間における出力信号ＯＵＴの電圧レベルを維持する。
【００７７】
次に、期間５において、クロック信号ＣＬＫがＨＩＧＨレベルに変化する。
【００７８】
図４Ｅは、本発明の実施の形態１に係る単位回路の期間５における回路状態遷移図である。
【００７９】
期間５において、クロック信号ＣＬＫがＨＩＧＨとなることにより、トランジスタ２３が導通状態となる。ここで、トランジスタ２２が非導通状態であることからコンデンサ２４による昇圧動作はなく、これによりトランジスタ２１が導通状態を維持することから、入力信号ＩＮ電圧のＬが配線Ａに印加される。よって、出力トランジスタ４１は非導通状態となる。
【００８０】
また、期間５において、入力信号ＩＮがＬＯＷを維持していることから、トランジスタ３２及び３４は非導通状態を維持している。さらに、トランジスタ３５のゲート電極には配線ＡのＬが印加されることからトランジスタ３５も非導通状態となる。トランジスタ３３の導通状態、ならびに、トランジスタ３４及び３５の非導通状態より、配線ＢにはＨが印加される。よって、出力トランジスタ４２は導通状態となる。
【００８１】
期間５における上記回路動作では、出力トランジスタ４１が非導通状態となり、かつ、出力トランジスタ４２が導通状態となることから、出力信号ＯＵＴの電圧はＬへと変化する。
【００８２】
次に、期間６において、クロック信号ＣＬＫがＬＯＷレベルに変化する。
【００８３】
図４Ｆは、本発明の実施の形態１に係る単位回路の期間６における回路状態遷移図である。
【００８４】
期間６において、クロック信号ＣＬＫがＬＯＷとなることにより、トランジスタ２３は非導通状態となる。よって、期間６における配線Ａの電圧は、期間５から更新されない。よって、出力トランジスタ４１は非導通状態を維持している。
【００８５】
また、期間６において、入力信号ＩＮがＬＯＷを維持していること、及び、配線Ａの電圧がＬを維持していることから、トランジスタ３４及び３５は非導通状態を維持している。
【００８６】
よって、出力トランジスタ４２は導通状態を維持している。よって、期間６では期間５における出力信号ＯＵＴの電圧レベルを維持する。
【００８７】
以上、本発明の実施の形態１に係るシフトレジスタ１によれば、１種類のクロック信号ＣＬＫと、所望の出力期間と同じ期間においてオン電圧を発生させる入力信号ＩＮとが入力されることにより、Ａ信号生成部２０でのチャージポンプ動作及びＢ信号生成部３０でのサンプルホールド動作が実行される。これにより、シフトレジスタ１は、出力信号ＯＵＴの転送シフトの度に信号電圧を減少させることなく転送不良を回避でき、所望の出力期間を出力することが可能となる。また、上記出力期間に応じたクロック信号線の追加が不要となり、当該シフトレジスタが配置される額縁領域の面積増大を回避することが可能となる。
【００８８】
（実施の形態２）
本実施の形態では、クロック信号ＣＬＫを昇圧するためのレベルシフタを組み込んだシフトレジスタについて説明する。
【００８９】
図５Ａは、本発明の実施の形態２に係るシフトレジスタの回路構成図の一例である。同図に記載された単位回路５０は、Ａ信号生成部６０と、Ｂ信号生成部３０と、最終バッファ部４０とを備える。本実施の形態に係るシフトレジスタが有する単位回路５０は、実施の形態１に係るシフトレジスタ１が有する単位回路１０と比較して、Ａ信号生成部６０の構成のみが異なる。
【００９０】
Ａ信号生成部６０は、トランジスタ２１、２２及び２３と、コンデンサ２４と、レベルシフタ６５とを備える。本実施の形態に係るＡ信号生成部６０は、実施の形態１に係るＡ信号生成部２０と比較して、レベルシフタ６５が付加されたことのみが異なる。以下、実施の形態１と同じ点は説明を省略し、異なる点のみ説明する。
【００９１】
反転クロック信号線１８には、クロック信号ＣＬＫを反転させた反転クロック信号ｘＣＬＫが入力される。
【００９２】
レベルシフタ６５は、固定電源線１７、基準電源線１１、反転クロック信号線１８、クロック信号線１２及びトランジスタ２３のゲート電極に接続され、クロック信号ＣＬＫを昇圧した出力信号Ｏｓをトランジスタ２３のゲート電極へ出力する。
【００９３】
図５Ｂは、実施の形態２に係るレベルシフタの入出力波形を表す図である。同図に示されるように、レベルシフタ６５は、入力信号であるクロック信号ＣＬＫの振幅（ＶＤＤ−ＶＳＳ）を昇圧して振幅（ＶＤＤ−ＶＳＳ＋ΔＶ）を有する出力信号Ｏｓを生成する。
【００９４】
図５Ａに示された単位回路５０において、Ａ信号生成部６０で生成された信号電圧は、トランジスタ２３の転送動作により配線Ａ及び出力トランジスタ４１のゲート電極へ印加される。この場合、転送された信号電圧レベルは、入力信号ＩＮの電圧レベルに依存することは、実施の形態１で述べたが、これに加えて、当該信号電圧レベルは、トランジスタ２３のゲート電圧にも依存する。転送時のトランジスタ２３のゲート電圧を昇圧すれば、転送された信号電圧レベルが高くなり、バッファＴＦＴである出力トランジスタ４１のオン抵抗を下げることが可能となる。その結果、出力信号ＯＵＴの過渡特性を改善できる。以下、レベルシフタ６５の、具体的回路構成を例示する。
【００９５】
図６Ａは、本発明の実施の形態２に係るシフトレジスタが備えるレベルシフタの回路構成図の一例である。同図におけるレベルシフタ６５は、第１トランジスタ２１１と、第２トランジスタ２１２と、コンデンサ２１３と、信号生成部２２０とを備える。レベルシフタ６５は、反転クロック信号ｘＣＬＫを反転クロック信号線１８から入力されることにより、クロック信号ＣＬＫをレベルシフトして出力信号Ｏｓをトランジスタ２３のゲート電極へ出力する。
【００９６】
コンデンサ２１３は、一方の電極が第１トランジスタ２１１のソース端子に接続され、他方の電極が第２トランジスタ２１２のドレイン端子、第１トランジスタ２１１のゲート端子、及びトランジスタ２２３のゲート電極に接続された第３の容量素子である。これにより、レベルシフタ６５の出力レベルは、コンデンサ２１３の他方の電極の電位により決定される。
【００９７】
第１トランジスタ２１１は、ゲート端子がコンデンサ２１３の他方の電極に接続され、ドレイン端子がクロック信号線１２に接続され、ソース端子がコンデンサ２１３の一方の電極及び信号生成部２２０に接続された第１１のトランジスタである。
【００９８】
第２トランジスタ２１２は、ゲート端子が信号生成部２２０に接続され、ドレイン端子がクロック信号線１２に接続され、ソース端子がコンデンサ２１３の他方の電極及びトランジスタ２３のゲート電極に接続された第１２のトランジスタである。
【００９９】
信号生成部２２０は、例えば、トランジスタ２２１、２２２及び２２３と、コンデンサ２２４とを備え、反転クロック信号ｘＣＬＫ及びクロック信号ＣＬＫに応じて、第２トランジスタ２１２のゲート端子に所定の電圧を出力する。これにより、レベルシフタ６５の出力レベルを決定するコンデンサ２１３の他方の電極の電位は、信号生成部２２０からの出力、入力信号ＩＮ、ならびに、第１トランジスタ２１１及び第２トランジスタ２１２の導通状態により変化する。信号生成部２２０は、クロック信号ＣＬＫがＬＯＷレベル（反転クロック信号ｘＣＬＫがＨＩＧＨレベル）である期間１１に、第２トランジスタ２１２を導通状態とする信号を生成して当該信号を第２トランジスタ２１２のゲート電極に供給し、クロック信号ＣＬＫがＨＩＧＨレベルである期間１２に、第２トランジスタ２１２を導通状態から非導通状態へと切り換える信号を生成して当該信号を第２トランジスタ２１２のゲート電極に供給する。これにより、トランジスタ２３のゲート電極には、上記期間１２において、第２トランジスタ２１２が非導通状態となった後に、レベルシフトされたコンデンサ２１３の他方の電極の電圧を出力信号Ｏｓの出力電圧として出力する。以下、信号生成部２２０の構成要素の接続関係の一例について説明する。
【０１００】
トランジスタ２２１は、ゲート端子が反転クロック信号線１８に接続され、ドレイン端子が固定電源線１７に接続され、ソース端子が第２トランジスタ２１２のゲート端子に接続されている。
【０１０１】
トランジスタ２２２は、ゲート端子が第１トランジスタ２１１のソース端子及びコンデンサ２１３の一方の電極に接続され、ドレイン端子がトランジスタ２２１のソース端子に接続され、ソース端子が接地端子に接続されている。
【０１０２】
トランジスタ２２３は、ゲート端子が反転クロック信号線１８に接続され、ドレイン端子がトランジスタ２２２のゲート端子に接続され、ソース端子が基準電源線１１に接続されている。
【０１０３】
コンデンサ２２４は、一方の電極が第２トランジスタ２１２のゲート端子、トランジスタ２２１のソース端子及びトランジスタ２２２のドレイン端子に接続され、他方の電極が第１トランジスタ２１１のソース端子、コンデンサ２１３の一方の電極、トランジスタ２２２のゲート端子及びトランジスタ２２３のドレイン端子に接続されている。
【０１０４】
なお、第１トランジスタ２１１、第２トランジスタ２１２、トランジスタ２２１、トランジスタ２２２、及びトランジスタ２２３は、ｎ型ＴＦＴで構成されていることが好ましい。これにより、レベルシフタの製造工程が簡略化され、また、製造歩留まりが向上する。
【０１０５】
信号生成部２２０の上記回路構成により、信号生成部２２０は、初期化期間には第２トランジスタ２１２を導通状態とし、昇圧期間には第２トランジスタ２１２を導通状態から非導通状態へと変化させる。以下、各期間の具体的動作について、図６Ｂを用いて説明する。
【０１０６】
図６Ｂは、本発明の実施の形態２に係るレベルシフタの駆動タイミングチャートである。同図には、レベルシフタ６５を駆動するための制御信号である反転クロック信号ｘＣＬＫ、クロック信号ＣＬＫ及び出力信号Ｏｓの各電圧レベルが表されている。以下、期間１１〜期間１３について、回路動作を説明する。
【０１０７】
期間１１において、反転クロック信号ｘＣＬＫの電圧がＨＩＧＨに設定される。期間１において、反転クロック信号ｘＣＬＫがＨＩＧＨとなることにより、トランジスタ２２１が導通状態となる。この導通状態より、コンデンサ２２４の一方の電極はＨＩＧＨレベルとなる。また、反転クロック信号ｘＣＬＫがＨＩＧＨとなることにより、トランジスタ２２３が導通状態となる。この導通状態と、トランジスタ２２３のソース端子が基準電源線１１に接続されていることから、コンデンサ２２４の他方の電極はＬＯＷレベルとなる。以上により、コンデンサ２２４には固定電源電圧（ＨＩＧＨレベルとＬＯＷレベルとの電位差）相当の電圧が充電される。そうすると、第２トランジスタ２１２のゲート端子にはＨＩＧＨ電圧が印加されるので、第２トランジスタ２１２は導通状態となる。つまり、期間１１では、コンデンサ２２４に電源電圧相当の電圧を充電させることにより、昇圧動作の開始時まで第２トランジスタ２１２を導通状態に維持させる。このとき、出力端子には、第２トランジスタ２１２を介して、クロック信号ＣＬＫのＬＯＷ電圧が印加されるので、出力信号ＯｓはＬＯＷレベルとなっている。
【０１０８】
次に、期間１２において、クロック信号ＣＬＫからＨＩＧＨ電圧が印加される。期間１１以来、第２トランジスタ２１２の導通状態が維持されているので、クロック信号ＣＬＫがＨＩＧＨ電圧となったことにより、出力信号Ｏｓは徐々にＬＯＷレベルからＨＩＧＨレベルへと変化する。これに対応して、第１トランジスタ２１１のゲート電圧も徐々に上昇するので、第１トランジスタ２１１のドレイン−ソース間のコンダクタンスも徐々に上昇する。これにより、第１トランジスタ２１１を介して、入力端子側からコンデンサ２１３の一方の電極側へと徐々に電流が流れ始める。
【０１０９】
期間１２開始時において、第１トランジスタ２１１を介して流れ始めた、入力端子側からコンデンサ２１３の一方の電極側への電流により、期間１２の定常時には、クロック信号ＣＬＫのＨＩＧＨ電圧がコンデンサ２１３の一方の電極に伝わり、当該電極の電位がＨＩＧＨレベルとなる。そうすると、コンデンサ２１３の一方の電極に接続されているトランジスタ２２２のゲート端子にもＨＩＧＨ電圧が印加されることにより、トランジスタ２２２が導通状態となる。このとき、コンデンサ２２４の一方の電極からトランジスタ２２２を介して接地端子へと放電電流が流れ、コンデンサ２２４の一方の電極及び第２トランジスタ２１２のゲート端子の電位はＨＩＧＨレベルからＬＯＷレベルへと降下する。これにより、第２トランジスタ２１２は非導通状態となる。
【０１１０】
ここで、第２トランジスタ２１２が導通状態で期間１２開始時にクロック信号ＣＬＫがＨＩＧＨとなってから、第２トランジスタ２１２が非導通状態となるまでの期間に、コンデンサ２１３にはクロック信号ＣＬＫのＨＩＧＨ電圧に依存して充電されている。ここで、上記期間におけるコンデンサ２１３の充電電圧をΔＶとすると、第２トランジスタ２１２が非導通状態となった時点では、コンデンサ２１３の一方の電極は、ＨＩＧＨレベル（電圧Ｈとする）に上昇しているので、コンデンサ２１３の他方の電極及び出力端子の電圧は（Ｈ＋ΔＶ）となっている。つまり、期間１２において、第１トランジスタ２１１が導通状態となることにより、コンデンサ２１３による昇圧動作が実行される。また同時に、トランジスタ２２２が導通状態となり、上記昇圧動作の過程において、第２トランジスタ２１２が非導通状態となる。この段階で、昇圧動作が完了する。この結果、クロック信号ＣＬＫの電圧Ｈが、出力信号Ｏｓの電圧（Ｈ＋ΔＶ）へと昇圧される。
【０１１１】
次に、期間１３では、既に、入力信号ＩＮがＬＯＷ電圧へと変化している。クロック信号ＣＬＫの電位変化により、期間１２の終了時から第１トランジスタ２１１のソース端子及びドレイン端子の電位が逆転し、期間１３では、第１トランジスタ２１１を介して、コンデンサ２１３の一方の電極側から入力端子側へと電流が流れる。この電流が流れている状態と、第１トランジスタ２１１のゲート端子が、第２トランジスタ２１２の非導通状態及びコンデンサ２１３により電気的に遮断された状態であることにより、第１トランジスタ２１１のゲート電圧は入力端子側へと放電され、結果的に出力信号Ｏｓの電圧はＬＯＷレベルとなる。
【０１１２】
以上のように、本実施の形態に係るレベルシフタ６５は、充電機能を有するコンデンサ２１３、コンデンサ２１３の両電極の電位を決定する第１トランジスタ２１１及び第２トランジスタ２１２、ならびに、第２トランジスタ２１２の導通状態を制御する信号生成部２２０を備え、反転クロック信号ｘＣＬＫが所定のタイミングで供給されることにより、クロック信号ＣＬＫを昇圧することが可能となる。レベルシフタ６５が上記構成をとることにより、レベルシフト動作のための専用電源線は不要であり、配線スペースの削減と外部回路への負担を軽減することが可能となる。また、ダイオード接続のＴＦＴを使用せず、第２トランジスタ２１２を十分な逆バイアス状態とすることができる回路構成であることから、第２トランジスタ２１２がデプレッション特性であっても昇圧過程において確実に第２トランジスタ２１２を非導通とすることができるので、昇圧特性の劣化を抑制することが可能となる。
【０１１３】
以上のように、本実施の形態に係るシフトレジスタによれば、１種類のクロック信号ＣＬＫと、所望の出力期間と同じ期間においてオン電圧を発生させる入力信号ＩＮとが入力されることにより、Ａ信号生成部６０でのチャージポンプ動作及びＢ信号生成部３０でのサンプルホールド動作が実行される。これにより、出力信号ＯＵＴの転送シフトの度に電圧減少することなく転送不良を回避でき、所望の出力期間を出力することが可能となる。また、上記出力期間に応じたクロック信号線の追加が不要となり、当該シフトレジスタが配置される額縁領域の面積増大を回避することが可能となる。
【０１１４】
さらに、Ａ信号生成部６０から転送された信号電圧レベルが、トランジスタ２３のゲート電圧に依存することから、転送時のトランジスタ２３のゲート電圧をレベルシフタ６５により昇圧する。これにより、転送された信号電圧レベルが高くなり、バッファＴＦＴである出力トランジスタ４１のオン抵抗を下げることが可能となる。よって出力信号ＯＵＴの過渡特性が改善され、信号の転送効率が向上する。
【０１１５】
（実施の形態３）
本実施の形態では、実施の形態１に係るシフトレジスタ１が備えるトランジスタ２１の負荷を緩和したシフトレジスタを説明する。
【０１１６】
図７は、本発明の実施の形態３に係るシフトレジスタの回路構成図の一例である。同図に記載された単位回路７０は、Ａ信号生成部２０と、Ｂ信号生成部３０と、最終バッファ部４０とを備える。本実施の形態に係る単位回路７０は、実施の形態１に係る単位回路１０と比較して、トランジスタ２１のゲート電極に、固定電源線１７ではなく、絶対値が第１の電圧より小さい固定電圧を供給する参照電源線１９が接続されている点のみが異なる。以下、実施の形態１と同じ点は説明を省略し、異なる点のみ説明する。
【０１１７】
図８Ａは、本発明の実施の形態３に係るシフトレジスタの効果を説明する図である。また、図８Ｂは、本発明の実施の形態１に係るシフトレジスタの効果を説明する図である。図８Ｂに記載された、実施の形態１に係るシフトレジスタ１が有する単位回路１０において、期間２にＡ信号生成部２０が昇圧動作を実行した場合、トランジスタ２１のゲート電極にはＨ（ＶＤＤ）、ドレイン電極にはＨ（ＶＤＤ）、ソース電極には（Ｈ＋ΔＶ）の電圧が印加される。この場合、トランジスタ２１のドレイン−ソース間電圧Ｖｄｓ２１は、ΔＶ（＝（Ｈ＋ΔＶ）−Ｈ）となる。ΔＶは最大で（ＶＤＤ−ＶＳＳ）となるので、Ｖｄｓ２１にはゲート振幅（ＶＤＤ−ＶＳＳ）程度の大きな電圧が発生する。また、トランジスタ２３において、トランジスタ２３の閾値電圧をＶｔｈ２３とすると、ドレイン電極には（Ｈ＋ΔＶ）の電圧が印加され、ソース電極には（Ｈ−Ｖｔｈ２３）の電圧が印加される。これより、Ｖｄｓ２３は（ΔＶ＋Ｖｔｈ２３）（＝（Ｈ＋ΔＶ）−（Ｈ−Ｖｔｈ２３））となる。これにより、Ｖｄｓ２３にもゲート振幅（ＶＤＤ−ＶＳＳ）程度の大きな電圧が発生する。よって、トランジスタ２１及び２３は大きな負荷を受けることになり、閾値電圧のシフト、及び、信頼性低下が懸念される。
【０１１８】
これに対して、図８Ａに記載された、本実施の形態に係る単位回路７０において、期間２にＡ信号生成部２０が昇圧動作を実行した場合、トランジスタ２１のゲート電極には、電源電圧ＶＤＤよりも小さい参照電圧Ｖｒｅｆを供給する参照電源線１９が接続されている。そうすると、トランジスタ２１のＶｄｓはΔＶ（＝（Ｈ＋ΔＶ）−Ｈ）となるが、ΔＶは最大で（Ｖｒｅｆ−Ｖｔｈ２１−ＶＳＳ）となるので、Ｖｄｓ２１にはゲート振幅（ＶＤＤ−ＶＳＳ）より小さい電圧が発生する。また、トランジスタ２３のＶｄｓ２３は、ドレイン電極には（Ｈ＋ΔＶ）の電圧が印加され、ソース電極には（Ｈ−Ｖｔｈ２３）の電圧が印加される。これより、Ｖｄｓ２３は（ΔＶ＋Ｖｔｈ２３）（＝（Ｈ＋ΔＶ）−（Ｈ−Ｖｔｈ２３））となる。これにより、Ｖｄｓ２３にもゲート振幅（ＶＤＤ−ＶＳＳ）より小さい電圧が発生する。
【０１１９】
以上のように、参照電源線１９が供給する参照電圧Ｖｒｅｆを電源電圧ＶＤＤよりも小さく設定しておくことにより、Ａ信号生成部２０が昇圧動作を実行した場合であっても、トランジスタ２１のＶｄｓをゲート振幅よりも小さく設定できるので、トランジスタ２１の負荷を低減できる。その結果、閾値電圧のシフト、及び、信頼性低下が抑制される。
【０１２０】
以上のように、本実施の形態に係る単位回路７０によれば、１種類のクロック信号ＣＬＫと、所望の出力期間と同じ期間においてオン電圧を発生させる入力信号ＩＮとが入力されることにより、Ａ信号生成部６０でのチャージポンプ動作及びＢ信号生成部３０でのサンプルホールド動作が実行される。これにより、出力信号ＯＵＴの転送シフトの度に電圧減少することなく転送不良を回避でき、所望の出力期間を出力することが可能となる。また、上記出力期間に応じたクロック信号線の追加が不要となり、当該シフトレジスタが配置される額縁領域の面積増大を回避することが可能となる。さらに、トランジスタの負荷を低減でき、信頼性が向上する。
【０１２１】
以上、本発明のシフトレジスタについて、実施の形態に基づいて説明してきたが、本発明に係るシフトレジスタは、上記実施の形態に限定されるものではない。実施の形態１〜３における任意の構成要素を組み合わせて実現される別の実施の形態や、実施の形態１〜３に対して本発明の主旨を逸脱しない範囲で当業者が思いつく各種変形を施して得られる変形例や、本発明に係るシフトレジスタを内蔵した各種機器も本発明に含まれる。
【０１２２】
なお、実施の形態１〜３では、シフトレジスタを構成するトランジスタは全てｎ型ＴＦＴであることを想定したが、本発明のシフトレジスタを構成するトランジスタは、全てｐ型ＴＦＴであっても同様の効果が奏される。以下、この場合の回路構成及び駆動タイミングについて説明する。
【０１２３】
図９は、本発明の実施の形態１に係るシフトレジスタの変形例を示す回路構成図である。  同図における単位回路１００は、Ａ信号生成部１２０と、Ｂ信号生成部１３０と、最終バッファ部１４０とを備える。
【０１２４】
図９におけるシフトレジスタが備える単位回路１００の回路構成は、図２におけるシフトレジスタ１が備える単位回路１０と比較して、全てのトランジスタの導電型がｐ型となっていること、及び、電源電圧ＶＤＤと基準電圧である接地電圧ＶＳＳの接続関係が逆となっていることである。
【０１２５】
基準電源線１１７は、走査線選択時に当該走査線に印加される電圧に対応した基準電圧ＶＳＳに設定されている。固定電源線１１１は、走査線非選択時に当該走査線に印加される電圧に対応した固定の電源電圧ＶＤＤに設定されている。入力線１１３は、前段の単位回路１００の出力線１１６と接続されており、入力線１１３には、前段の単位回路１００の出力信号ＯＵＴが入力信号ＩＮとして供給される。
【０１２６】
最終バッファ部１４０は、出力トランジスタ１４１及び１４２を備えた出力部である。
【０１２７】
出力トランジスタ１４１は、ソース電極が基準電源線１１７に接続され、ドレイン電極が出力線１１６を介して出力端子に接続され、ゲート電極が配線Ａを介してＡ信号生成部１２０に接続された第１のトランジスタである。
【０１２８】
出力トランジスタ１４２は、ソース電極が出力線１１６を介して出力端子に接続され、ドレイン電極が固定電源線１１１に接続され、ゲート電極が配線Ｂを介してＢ信号生成部１３０に接続された第２のトランジスタである。
【０１２９】
Ａ信号生成部１２０は、トランジスタ１２１、１２２及び１２３と、コンデンサ１２４とを備えた第１信号生成部である。
【０１３０】
トランジスタ１２３は、ゲート電極がクロック信号線１１２に接続され、ソース電極がコンデンサ１２４の一方の電極に接続され、ドレイン電極が配線Ａを介して出力トランジスタ１４１のゲート電極に接続された第３のトランジスタである。
【０１３１】
トランジスタ１２１は、ゲート電極が基準電源線１１７に接続され、ソース電極が入力線１１３に接続され、ドレイン電極がコンデンサ１２４の一方の電極に接続された第４のトランジスタである。
【０１３２】
トランジスタ１２２は、ゲート電極が入力線１１３に接続され、ソース電極がクロック信号線１１２に接続され、ドレイン電極がコンデンサ１２４の他方の電極に接続された第５のトランジスタである。
【０１３３】
コンデンサ１２４は、トランジスタ１２１及び１２２の導通により、クロック信号ＣＬＫと入力信号ＩＮとの電位差を保持し、配線Ａに供給すべき信号電圧を当該電位差に応じて昇圧させるチャージポンプ機能を有する第１の容量素子である。
【０１３４】
上記構成により、Ａ信号生成部１２０は、単位回路１００の多段接続による入力信号ＩＮの減衰を回避すべく入力信号ＩＮの昇圧動作を実行し、入力信号ＩＮに基づいて、出力トランジスタ１４１の導通及び非導通を切り換える第１の信号を出力トランジスタ１４１のゲート電極に供給する。また、基準電源線１１７と固定電源線１１１との間に、直列に接続されたトランジスタが配置された構成をとらないので、トランジスタ１２１〜１２３がデプレッション型であっても、固定電源線１１１から基準電源線１１７に向けて貫通電流が流れることを回避できる。
【０１３５】
Ｂ信号生成部１３０は、トランジスタ１３１〜１３５と、コンデンサ１３６とを備えた第２信号生成部である。
【０１３６】
トランジスタ１３１は、ゲート電極がクロック信号線１１２に接続され、ソース電極が基準電源線１１７に接続され、ドレイン電極がトランジスタ１３３のゲート電極に接続され、クロック信号ＣＬＫに対応して、トランジスタ１３３の導通及び非導通を切り換える第７のトランジスタである。
【０１３７】
トランジスタ１３２は、ゲート電極が入力線１１３に接続され、ソース電極がトランジスタ１３３のゲート電極に接続され、ドレイン電極が固定電源線１１１に接続され、入力信号ＩＮに対応して、トランジスタ１３３の導通及び非導通を切り換える第８のトランジスタである。
【０１３８】
トランジスタ１３３は、ソース電極が基準電源線１１７に接続され、ドレイン電極が配線Ｂを介して出力トランジスタ１４２のゲート電極に接続され、トランジスタ１３１及び１３２の導通状態に応じて、出力トランジスタ１４２の導通及び非導通を切り換える第６のトランジスタである。
【０１３９】
トランジスタ１３４は、ゲート電極が入力線１１３に接続され、ソース電極が配線Ｂを介して出力トランジスタ１４２のゲート電極に接続され、ドレイン電極が固定電源線１１１に接続され、入力信号ＩＮに応じて、出力トランジスタ１４２の導通及び非導通を切り換える第９のトランジスタである。
【０１４０】
トランジスタ１３５は、ゲート電極が出力線１１６を介して出力端子に接続され、ソース電極が配線Ｂを介して出力トランジスタ１４２のゲート電極に接続され、ドレイン電極が固定電源線１１１に接続され、出力信号ＯＵＴに応じて、出力トランジスタ１４２の導通及び非導通を切り換える第１０のトランジスタである。
【０１４１】
コンデンサ１３６は、一方の電極が配線Ａを介して出力トランジスタ１４１のゲート電極に接続され、他方の電極が出力線１１６を介して出力端子に接続された第２の容量素子である。
【０１４２】
上記構成により、Ｂ信号生成部１３０は、入力信号ＩＮに基づいて、出力トランジスタ１４２の導通及び非導通を切り換える第２の信号を出力トランジスタ１４２のゲート電極に供給するとともに、配線Ａ及び出力トランジスタ１４１のゲート電極の電圧を保持する。
【０１４３】
以上の単位回路１００を備えるシフトレジスタは、単位回路１０を備えるシフトレジスタ１と同様の効果が奏される。
【０１４４】
図１０は、本発明の実施の形態１に係るシフトレジスタの変形例を示す駆動タイミングチャートである。図１０における駆動タイミングは、図３における駆動タイミングと比較して、各信号の電圧レベルが反転していることのみであり、当該各信号による回路動作は、実施の形態１に係るシフトレジスタ１の回路動作と同じである。
【０１４５】
単位回路１００は、トランジスタ１２１〜１２３、１３１〜１３５、ならびに、出力トランジスタ１４１及び１４２は、ｐ型ＴＦＴで構成されていることから、シフトレジスタの製造工程が簡略化され、また、製造歩留まりが向上する。
【産業上の利用可能性】
【０１４６】
本発明のシフトレジスタは、大画面及び高解像度が要望される、薄型テレビ、パーソナルコンピュータのディスプレイなどの技術分野に有用である。
【符号の説明】
【０１４７】
１    シフトレジスタ
２、５２２    クロック信号発生器          
１０、５０、７０、１００    単位回路
１１、１１７    基準電源線
１２、１１２    クロック信号線
１３、１１３    入力線
１６、１１６    出力線
１７、１１１    固定電源線
１８    反転クロック信号線
１９    参照電源線          
２０、６０、１２０    Ａ信号生成部
２１、２２、２３、３１、３２、３３、３４、３５、１２１、１２２、１２３、１３１、１３２、１３３、１３４、１３５、２２１、２２２、２２３    トランジスタ
２４、３６、１２４、１３６、２１３、２２４    コンデンサ
３０、１３０    Ｂ信号生成部
４０、１４０    最終バッファ部
４１、４２、１４１、１４２    出力トランジスタ
６５    レベルシフタ
２１１    第１トランジスタ
２１２    第２トランジスタ
２２０    信号生成部
５１０    段
５１６、５１７、５１８、５１９、５２０、５２１    ＴＦＴ
【図１】
2013098899.tif 000003
【図２】
2013098899.tif 000004
【図３】
2013098899.tif 000005
【図４Ａ】
2013098899.tif 000006
【図４Ｂ】
2013098899.tif 000007
【図４Ｃ】
2013098899.tif 000008
【図４Ｄ】
2013098899.tif 000009
【図４Ｅ】
2013098899.tif 000010
【図４Ｆ】
2013098899.tif 000011
【図５Ａ】
2013098899.tif 000012
【図５Ｂ】
2013098899.tif 000013
【図６Ａ】
2013098899.tif 000014
【図６Ｂ】
2013098899.tif 000015
【図７】
2013098899.tif 000016
【図８Ａ】
2013098899.tif 000017
【図８Ｂ】
2013098899.tif 000018
【図９】
2013098899.tif 000019
【図１０】
2013098899.tif 000020
【図１１Ａ】
2013098899.tif 000021
【図１１Ｂ】
2013098899.tif 000022
【図１２Ａ】
2013098899.tif 000023
【図１２Ｂ】
2013098899.tif 000024
【国際調査報告】
2013098899.tif 000025
2013098899.tif 000026